(57)【要約】【課題】映像信号をＲＧＢからＹＣｂＣｒに切り換えを行う場合、ビデオソースがＹＣｂＣｒに変わるタイミングとシンク側のＡＶＩインフォフレーム情報の受信にタイムラグがあり、シンク側の出力映像にちらつきが発生する。【解決手段】ソース側でのＨＤＭＩの映像切り換え時に、シンク側ではタイミングＴ５からタイミングＴ６の区間にＡＶＩインフォフレーム情報の不一致が発生するので、タイミングＴ５からタイミングＴ７の区間に所定の映像を出力することで映像の乱れを防止する。【選択図】図７
2007180624.tif 000002
【特許請求の範囲】
【請求項１】
ＨＤＭＩ伝送方式により接続される受信装置に対してストリームデータを送信するＨＤＭＩ伝送方式送信装置であって、
前記受信装置に対して複数種類のストリームデータを送信するストリームデータ送信手段と、
前記受信装置に対して前記ストリームデータ送信手段を介して送信するストリームデータの種類の切り換わりを示すＡＶＩインフォフレーム情報を送信するＡＶＩインフォフレーム情報送信手段と、
前記ストリームデータ送信手段を介して送信されるストリームデータの種類が切り換わるタイミングと、前記ＡＶＩインフォフレーム情報送信手段を介して送信されるＡＶＩインフォフレーム情報が示すストリームデータの種類の切り換わりタイミングとの不一致を検出する不一致検出手段と、
前記不一致検出手段により検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信手段と
を備えることを特徴とするＨＤＭＩ伝送方式送信装置。
【請求項２】
ＨＤＭＩ伝送方式で接続される送信装置からストリームデータを受信し、再生を行うＨＤＭＩ伝送方式受信装置であって、
前記送信装置から複数種類のストリームデータを受信するストリームデータ受信手段と、
前記送信装置から前記ストリームデータ受信手段を介して受信するストリームデータの種類の切り換わりを示すＡＶＩインフォフレーム情報を受信するＡＶＩインフォフレーム情報受信手段と、
前記ストリームデータ受信手段を介して受信するストリームデータの種類の切り換わりタイミングと、前記ＡＶＩインフォフレーム受信手段を介して受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信装置から受信する不一致区間情報受信手段と、
前記不一致区間情報受信手段を介して受信した不一致区間情報に応じて、ストリームデータを再生することにより出力される映像信号に所定の処理を施す映像加工手段と
を備えることを特徴とするＨＤＭＩ伝送方式受信装置。
【請求項３】
前記映像加工手段は、前記不一致区間情報受信手段を介して受信した不一致区間情報に応じて、ストリームデータを再生することにより出力される映像信号を所定映像に置き換えることを特徴とする請求項２記載のＨＤＭＩ伝送方式受信装置。
【請求項４】
前記映像加工手段は、前記不一致区間情報受信手段を介して受信した不一致区間情報に応じて、ストリームデータを再生することにより出力される映像信号ＭＵＴＥ処理を施すことを特徴とする請求項２記載のＨＤＭＩ伝送方式受信装置。
【請求項５】
ストリームデータを送信する送信装置と前記送信装置からストリームデータを受信して再生する受信装置とがＨＤＭＩ伝送方式で接続されたＨＤＭＩ伝送方式送受信システムであって、
前記送信装置は、
前記受信装置に対して複数種類のストリームデータを送信するストリームデータ送信手段と、
前記受信装置に対して前記ストリームデータ送信手段を介して送信するストリームデータの種類の切り換わりを示すＡＶＩインフォフレーム情報を送信するＡＶＩインフォフレーム情報送信手段と、
前記ストリームデータ送信手段を介して送信されるストリームデータの種類が切り換わるタイミングと、前記ＡＶＩインフォフレーム情報送信手段を介して送信されるＡＶＩインフォフレーム情報が示すストリームデータの種類の切り換わりタイミングとの不一致を検出する不一致検出手段と、
前記不一致検出手段により検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信手段とを備え、
前記受信装置は、
前記送信装置から複数種類のストリームデータを受信するストリームデータ受信手段と、
前記送信装置から前記ストリームデータ受信手段を介して受信するストリームデータの種類の切り換わりを示すＡＶＩインフォフレーム情報を受信するＡＶＩインフォフレーム情報受信手段と、
前記ストリームデータ受信手段を介して受信するストリームデータの種類の切り換わりタイミングと、前記ＡＶＩインフォフレーム受信手段を介して受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信装置から受信する不一致区間情報受信手段と、
前記不一致区間情報受信手段を介して受信した不一致区間情報に応じて、ストリームデータを再生することにより出力される映像信号に所定の処理を施す映像加工手段と
を備えることを特徴とするＨＤＭＩ伝送方式送受信システム。
【請求項６】
前記映像加工手段は、前記不一致区間情報受信手段を介して受信した不一致区間情報に応じて、ストリームデータを再生することにより出力される映像信号を所定映像に置き換えることを特徴とする請求項５記載のＨＤＭＩ伝送方式送受信システム。
【請求項７】
前記映像加工手段は、前記不一致区間情報受信手段を介して受信した不一致区間情報に応じて、ストリームデータを再生することにより出力される映像信号ＭＵＴＥ処理を施すことを特徴とする請求項５記載のＨＤＭＩ伝送方式送受信システム。
【請求項８】
ＨＤＭＩ伝送方式により接続される受信装置に対してストリームデータを送信する送信する送信装置におけるＨＤＭＩ伝送方式送信方法であって、
前記受信装置に対して複数種類のストリームデータを送信するストリームデータ送信工程と、
前記受信装置に対して前記ストリームデータ送信工程において送信するストリームデータの種類の切り換わりを示すＡＶＩインフォフレーム情報を送信するＡＶＩインフォフレーム情報送信工程と、
前記ストリームデータ送信工程において送信されるストリームデータの種類が切り換わるタイミングと、前記ＡＶＩインフォフレーム情報送信工程において送信されるＡＶＩインフォフレーム情報が示すストリームデータの種類の切り換わりタイミングとの不一致を検出する不一致検出工程と、
前記不一致検出工程において検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信工程と
を備えることを特徴とするＨＤＭＩ伝送方式送信方法。
【請求項９】
ＨＤＭＩ伝送方式で接続される送信装置からストリームデータを受信し、再生を行う受信装置におけるＨＤＭＩ伝送方式受信方法であって、
前記送信装置から複数種類のストリームデータを受信するストリームデータ受信工程と、
前記送信装置から前記ストリームデータ受信工程において受信するストリームデータの種類の切り換わりを示すＡＶＩインフォフレーム情報を受信するＡＶＩインフォフレーム情報受信工程と、
前記ストリームデータ受信工程において受信するストリームデータの種類の切り換わりタイミングと、前記ＡＶＩインフォフレーム受信工程において受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信手段から受信する不一致区間情報受信工程と、
前記不一致区間情報受信工程において受信した不一致区間情報に応じて、ストリームデータを再生することにより出力される映像信号に所定の処理を施す映像加工工程と
を備えることを特徴とするＨＤＭＩ伝送方式受信方法。
【請求項１０】
前記映像加工工程は、前記不一致区間情報受信工程において受信した不一致区間情報に応じて、ストリームデータを再生することにより出力される映像信号を所定映像に置き換える工程であることを特徴とする請求項９記載のＨＤＭＩ伝送方式受信方法。
【請求項１１】
前記映像加工工程、前記不一致区間情報受信工程において受信した不一致区間情報に応じて、ストリームデータを再生することにより出力される映像信号にＭＵＴＥ処理を施す工程であることを特徴とする請求項９記載のＨＤＭＩ伝送方式受信方法。
【請求項１２】
ストリームデータを送信する送信装置と前記送信装置からストリームデータを受信して再生する受信装置とがＨＤＭＩ伝送方式で接続されたＨＤＭＩ伝送方式送受信方法であって、
前記送信装置において、
前記受信装置に対して複数種類のストリームデータを送信するストリームデータ送信工程と、
前記受信装置に対して前記ストリームデータ送信工程において送信するストリームデータの種類の切り換わりを示すＡＶＩインフォフレーム情報を送信するＡＶＩインフォフレーム情報送信工程と、
前記ストリームデータ送信工程において送信されるストリームデータの種類が切り換わるタイミングと、前記ＡＶＩインフォフレーム情報送信工程において送信されるＡＶＩインフォフレーム情報が示すストリームデータの種類の切り換わりタイミングとの不一致を検出する不一致検出工程と、
前記不一致検出工程において検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信工程とを備え、
前記受信装置において、
前記送信装置から複数種類のストリームデータを受信するストリームデータ受信工程と、
前記送信装置から前記ストリームデータ受信工程において受信するストリームデータの種類の切り換わりを示すＡＶＩインフォフレーム情報を受信するＡＶＩインフォフレーム情報受信工程と、
前記ストリームデータ受信工程において受信するストリームデータの種類の切り換わりタイミングと、前記ＡＶＩインフォフレーム受信工程において受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信装置から受信する不一致区間情報受信工程と、
前記不一致区間情報受信工程において受信した不一致区間情報に応じて、ストリームデータを再生することにより出力される映像信号を所定映像に置き換える映像加工工程と
を備えることを特徴とするＨＤＭＩ伝送方式送受信方法。
【請求項１３】
前記映像加工工程は、前記不一致区間情報受信工程において受信した不一致区間情報に応じて、ストリームデータを再生することにより出力される映像信号を所定映像に置き換える工程であることを特徴とする請求項１２記載のＨＤＭＩ伝送方式送受信方法。
【請求項１４】
前記映像加工工程は、前記不一致区間情報受信工程において受信した不一致区間情報に応じて、ストリームデータを再生することにより出力される映像信号にミュート処理を施す工程であることを特徴とする請求項１２記載のＨＤＭＩ伝送方式送受信方法。
【発明の詳細な説明】
【技術分野】
【０００１】
本発明は、ＨＤＭＩの映像信号の切り換え時のちらつきを防止する技術に関するものである。
【背景技術】
【０００２】
従来のＨＤＭＩ（High-Definition Multimedia Interface）の映像信号切り換えは、次のようなものである。
システムは図８に示すように構成されている。
【０００３】
映像信号を送り出すソース側（SOURCE側）のＨＤＭＩ伝送方式送信装置１００と、
ＨＤＭＩ伝送方式送信装置１００とＨＤＭＩケーブル３００を介して接続され映像信号を受信するシンク側（SINK側）のＨＤＭＩ伝送方式受信装置２００とで構成されている。
【０００４】
ＨＤＭＩケーブル３００はＨＤＭＩ規格で定義されており、映像信号はビデオストリームデータとしてビデオソース（VIDEO SOURCE）、映像信号の種類を識別する情報としてＡＶＩインフォフレーム（AVI InfoFrame情報）で伝達される。
【０００５】
映像信号にはいくつかの種類があり、代表的なものとして、光の三原色である赤／緑／青の強さで表わすＲＧＢ方式や、ＲＧＢで表現された値を元に換算式で計算される数値で色を表わすＹＣｂＣｒがある。
【０００６】
例えば、映像信号をＲＧＢからＹＣｂＣｒに切り換えを行う場合、ソース側がビデオソースをＲＧＢからＹＣｂＣｒに変更し、映像信号の種類をＹＣｂＣｒとしたＡＶＩインフォフレーム情報をシンク側に送信する。シンク側はＨＤＭＩケーブルを通じてＡＶＩインフォフレーム情報を受信し、ビデオストリームデータをＹＣｂＣｒとして処理することで、映像信号の切り換えを行っている。
【特許文献１】特開２００４−３３６７３７号公報
【発明の開示】
【発明が解決しようとする課題】
【０００７】
しかしながら従来の構成では、ビデオストリームデータがＹＣｂＣｒに変わるタイミングとシンク側のＡＶＩインフォフレーム情報の受信にタイムラグがあり、シンク側はビデオストリームデータのＹＣｂＣｒを誤ってＲＧＢとして処理する区間が存在していて、ＨＤＭＩ映像信号の切り換え時には、シンク側の映像出力にちらつきが発生する。
【０００８】
図９は、前記従来の構成において、ソース側とシンク側の映像信号をＲＧＢからＹＣｂＣｒへ変更する場合のデータフローを示している。
タイミングＴ１では、ソース側とシンク側がビデオストリームデータをＲＧＢで送受信していることを示す。タイミングＴ２では、ソース側のビデオストリームデータがＹＣｂＣｒになったことを示す。タイミングＴ３では、ビデオストリームデータとＡＶＩインフォフレーム情報は非同期に送信されるため、まずソース側がビデオストリームデータを送信し、ＡＶＩインフォフレーム情報を送信していないことを示している。従って、シンク側はビデオストリームデータとＡＶＩインフォフレーム情報の映像信号の種類が不一致となるため、ビデオストリームデータを誤った処理していることを示している。タイミングＴ４では、シンク側がソース側からＡＶＩインフォフレーム情報が送信され、ソース側とシンク側がビデオストリームデータをＹＣｂＣｒで送受信していることを示している。
【０００９】
このように、タイムラグの期間中はシンク側の映像信号が異常となり、映像が乱れている。
本発明は、前記従来の課題を解決するもので、ＨＤＭＩの映像切り換え時に発生する映像の乱れを防止することができるＨＤＭＩ伝送方式送信装置とＨＤＭＩ伝送方式受信装置，ＨＤＭＩ伝送方式送受信システム，ＨＤＭＩ伝送方式送信方法とＨＤＭＩ伝送方式受信方法，およびＨＤＭＩ伝送方式送受信方法を提供することを目的とする。
【課題を解決するための手段】
【００１０】
本発明の請求項１記載のＨＤＭＩ伝送方式送信装置は、ＨＤＭＩ伝送方式により接続される受信装置に対してストリームデータを送信するＨＤＭＩ伝送方式送信装置であって、前記受信装置に対して複数種類のストリームデータを送信するストリームデータ送信手段と、前記受信装置に対して前記ストリームデータ送信手段を介して送信するストリームデータの種類の切り換わりを示すＡＶＩインフォフレーム情報を送信するＡＶＩインフォフレーム情報送信手段と、前記ストリームデータ送信手段を介して送信されるストリームデータの種類が切り換わるタイミングと、前記ＡＶＩインフォフレーム情報送信手段を介して送信されるＡＶＩインフォフレーム情報が示すストリームデータの種類の切り換わりタイミングとの不一致を検出する不一致検出手段と、前記不一致検出手段により検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信手段とを備えることを特徴とする。
【００１１】
本発明の請求項２記載のＨＤＭＩ伝送方式受信装置は、ＤＭＩ伝送方式で接続される送信装置からストリームデータを受信し、再生を行うＨＤＭＩ伝送方式受信装置であって、前記送信装置から複数種類のストリームデータを受信するストリームデータ受信手段と、
前記送信装置から前記ストリームデータ受信手段を介して受信するストリームデータの種類の切り換わりを示すＡＶＩインフォフレーム情報を受信するＡＶＩインフォフレーム情報受信手段と、前記ストリームデータ受信手段を介して受信するストリームデータの種類の切り換わりタイミングと、前記ＡＶＩインフォフレーム受信手段を介して受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信装置から受信する不一致区間情報受信手段と、前記不一致区間情報受信手段を介して受信した不一致区間情報に応じて、ストリームデータを再生することにより出力される映像信号に所定の処理を施す映像加工手段とを備えることを特徴とする。
【００１２】
本発明の請求項３記載のＨＤＭＩ伝送方式受信装置は、請求項２において、前記映像加工手段は、前記不一致区間情報受信手段を介して受信した不一致区間情報に応じて、ストリームデータを再生することにより出力される映像信号を所定映像に置き換えることを特徴とする。
【００１３】
本発明の請求項４記載のＨＤＭＩ伝送方式受信装置は、請求項２において、前記映像加工手段は、前記不一致区間情報受信手段を介して受信した不一致区間情報に応じて、ストリームデータを再生することにより出力される映像信号ＭＵＴＥ処理を施すことを特徴とする。
【００１４】
本発明の請求項５記載のＨＤＭＩ伝送方式送受信システムは、ストリームデータを送信する送信装置と前記送信装置からストリームデータを受信して再生する受信装置とがＨＤＭＩ伝送方式で接続されたＨＤＭＩ伝送方式送受信システムであって、前記送信装置は、前記受信装置に対して複数種類のストリームデータを送信するストリームデータ送信手段と、前記受信装置に対して前記ストリームデータ送信手段を介して送信するストリームデータの種類の切り換わりを示すＡＶＩインフォフレーム情報を送信するＡＶＩインフォフレーム情報送信手段と、前記ストリームデータ送信手段を介して送信されるストリームデータの種類が切り換わるタイミングと、前記ＡＶＩインフォフレーム情報送信手段を介して送信されるＡＶＩインフォフレーム情報が示すストリームデータの種類の切り換わりタイミングとの不一致を検出する不一致検出手段と、前記不一致検出手段により検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信手段とを備え、前記受信装置は、前記送信装置から複数種類のストリームデータを受信するストリームデータ受信手段と、前記送信装置から前記ストリームデータ受信手段を介して受信するストリームデータの種類の切り換わりを示すＡＶＩインフォフレーム情報を受信するＡＶＩインフォフレーム情報受信手段と、前記ストリームデータ受信手段を介して受信するストリームデータの種類の切り換わりタイミングと、前記ＡＶＩインフォフレーム受信手段を介して受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信装置から受信する不一致区間情報受信手段と、前記不一致区間情報受信手段を介して受信した不一致区間情報に応じて、ストリームデータを再生することにより出力される映像信号に所定の処理を施す映像加工手段とを備えることを特徴とする。
【００１５】
本発明の請求項６記載のＨＤＭＩ伝送方式送受信システムは、請求項５において、前記映像加工手段は、前記不一致区間情報受信手段を介して受信した不一致区間情報に応じて、ストリームデータを再生することにより出力される映像信号を所定映像に置き換えることを特徴とする。
【００１６】
本発明の請求項７記載のＨＤＭＩ伝送方式送受信システムは、請求項５において、前記映像加工手段は、前記不一致区間情報受信手段を介して受信した不一致区間情報に応じて、ストリームデータを再生することにより出力される映像信号ＭＵＴＥ処理を施すことを特徴とする。
【００１７】
本発明の請求項８記載のＨＤＭＩ伝送方式送信方法は、ＨＤＭＩ伝送方式により接続される受信装置に対してストリームデータを送信する送信する送信装置におけるＨＤＭＩ伝送方式送信方法であって、前記受信装置に対して複数種類のストリームデータを送信するストリームデータ送信工程と、前記受信装置に対して前記ストリームデータ送信工程において送信するストリームデータの種類の切り換わりを示すＡＶＩインフォフレーム情報を送信するＡＶＩインフォフレーム情報送信工程と、前記ストリームデータ送信工程において送信されるストリームデータの種類が切り換わるタイミングと、前記ＡＶＩインフォフレーム情報送信工程において送信されるＡＶＩインフォフレーム情報が示すストリームデータの種類の切り換わりタイミングとの不一致を検出する不一致検出工程と、前記不一致検出工程において検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信工程とを備えることを特徴とする。
【００１８】
本発明の請求項９記載のＨＤＭＩ伝送方式受信方法は、ＨＤＭＩ伝送方式で接続される送信装置からストリームデータを受信し、再生を行う受信装置におけるＨＤＭＩ伝送方式受信方法であって、前記送信装置から複数種類のストリームデータを受信するストリームデータ受信工程と、前記送信装置から前記ストリームデータ受信工程において受信するストリームデータの種類の切り換わりを示すＡＶＩインフォフレーム情報を受信するＡＶＩインフォフレーム情報受信工程と、前記ストリームデータ受信工程において受信するストリームデータの種類の切り換わりタイミングと、前記ＡＶＩインフォフレーム受信工程において受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信手段から受信する不一致区間情報受信工程と、前記不一致区間情報受信工程において受信した不一致区間情報に応じて、ストリームデータを再生することにより出力される映像信号に所定の処理を施す映像加工工程とを備えることを特徴とする。
【００１９】
本発明の請求項１０記載のＨＤＭＩ伝送方式受信方法は、請求項９において、前記映像加工工程は、前記不一致区間情報受信工程において受信した不一致区間情報に応じて、ストリームデータを再生することにより出力される映像信号を所定映像に置き換える工程であることを特徴とする。
【００２０】
本発明の請求項１１記載のＨＤＭＩ伝送方式受信方法は、請求項９において、前記映像加工工程は、前記不一致区間情報受信工程において受信した不一致区間情報に応じて、ストリームデータを再生することにより出力される映像信号にＭＵＴＥ処理を施す工程であることを特徴とする。
本発明の請求項１２記載のＨＤＭＩ伝送方式送受信方法は、ストリームデータを送信する送信装置と前記送信装置からストリームデータを受信して再生する受信装置とがＨＤＭＩ伝送方式で接続されたＨＤＭＩ伝送方式送受信方法であって、前記送信装置において、
前記受信装置に対して複数種類のストリームデータを送信するストリームデータ送信工程と、前記受信装置に対して前記ストリームデータ送信工程において送信するストリームデータの種類の切り換わりを示すＡＶＩインフォフレーム情報を送信するＡＶＩインフォフレーム情報送信工程と、前記ストリームデータ送信工程において送信されるストリームデータの種類が切り換わるタイミングと、前記ＡＶＩインフォフレーム情報送信工程において送信されるＡＶＩインフォフレーム情報が示すストリームデータの種類の切り換わりタイミングとの不一致を検出する不一致検出工程と、前記不一致検出工程において検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として前記受信装置に通知する不一致区間情報送信工程とを備え、前記受信装置において、前記送信装置から複数種類のストリームデータを受信するストリームデータ受信工程と、前記送信装置から前記ストリームデータ受信工程において受信するストリームデータの種類の切り換わりを示すＡＶＩインフォフレーム情報を受信するＡＶＩインフォフレーム情報受信工程と、前記ストリームデータ受信工程において受信するストリームデータの種類の切り換わりタイミングと、前記ＡＶＩインフォフレーム受信工程において受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を、前記送信装置から受信する不一致区間情報受信工程と、前記不一致区間情報受信工程において受信した不一致区間情報に応じて、ストリームデータを再生することにより出力される映像信号を所定映像に置き換える映像加工工程とを備えることを特徴とする。
【００２１】
本発明の請求項１３記載のＨＤＭＩ伝送方式送受信方法は、請求項１２において、前記映像加工工程は、前記不一致区間情報受信工程において受信した不一致区間情報に応じて、ストリームデータを再生することにより出力される映像信号を所定映像に置き換える工程であることを特徴とする。
【００２２】
本発明の請求項１４記載のＨＤＭＩ伝送方式送受信方法は、請求項１２において、前記映像加工工程は、前記不一致区間情報受信工程において受信した不一致区間情報に応じて、ストリームデータを再生することにより出力される映像信号にミュート処理を施す工程であることを特徴とする。
【発明の効果】
【００２３】
この構成によれば、ソース側からシンク側に所定の映像の出力を指示する手段を設けることにより、シンク側が所定の映像を出力することで、異常な映像信号の出力を抑えることができる。
【００２４】
また、ハードウエア構成を変更することなくソフトウエアのみでＨＤＭＩの映像切り換え時に所定の映像を出力することで、映像の乱れを防止できる。
【発明を実施するための最良の形態】
【００２５】
以下、本発明のＨＤＭＩ伝送方式送受信方法を、図１〜図７に示す具体例に基づいて説明する。
図１は、映像信号を送り出すソース側（SOURCE側）のＨＤＭＩ伝送方式送信装置１００と、ＨＤＭＩ伝送方式送信装置１００とＨＤＭＩケーブル３００を介して接続され映像信号を出力するシンク側（SINK側）のＨＤＭＩ伝送方式受信装置２００とで構成されている。ＨＤＭＩケーブル３００はＨＤＭＩ規格で定義されており、映像信号はビデオストリームデータとしてビデオソース（VIDEO SOURCE）、映像信号の種類を識別する情報としてＡＶＩインフォフレーム（AVI InfoFrame情報）で伝達される。
【００２６】
送信装置１００は、受信装置２００に対して複数種類のストリームデータを送信するストリームデータ送信手段１と、ＡＶＩインフォフレーム情報送信手段２と、不一致検出手段３と、不一致区間情報送信手段４とで構成されている。
【００２７】
ＡＶＩインフォフレーム情報送信手段２は、受信装置２００に対してストリームデータ送信手段１を介して送信するストリームデータの種類の切り換わりを示すＡＶＩインフォフレーム情報を送信する。
【００２８】
不一致検出手段３は、ストリームデータ送信手段１を介して送信されるストリームデータの種類が切り換わるタイミングと、前記ＡＶＩインフォフレーム情報送信手段を介して送信されるＡＶＩインフォフレーム情報が示すストリームデータの種類の切り換わりタイミングとの不一致を検出する。
【００２９】
不一致区間情報送信手段４は、不一致検出手段３により検出されたタイミング不一致に応じて、ストリームデータの種類の切り換わりタイミング及びＡＶＩインフォフレーム情報が示すストリームデータの種類の切り換わりタイミングを含む任意の期間をタイミング不一致区間として受信装置２００に通知するよう構成されている。
【００３０】
具体的には、送信装置１００は図２に示すように構成されている。
送信装置１００は、送信機１０１と映像信号処理装置１０２とで構成されている。送信機１０１は、ストリームデータ送信手段１としてのＨＤＭＩ送信処理装置１１０を有している。マイクロコンピュータを主要部とする映像信号処理装置１０２は、タイマ１２０とＣＰＵ１２１および映像信号生成装置１２２で構成されており、予めプログラムされているソフトウエアをＣＰＵ１２１によって実行してＡＶＩインフォフレーム情報送信手段２と、不一致検出手段３と、不一致区間情報送信手段４とを実現している。
【００３１】
映像信号生成装置１２２は、ＹＣｂＣｒやＲＧＢといった映像信号を生成するもので、映像信号生成装置１２２から生成されたビデオ信号を、ＣＰＵ１２１と信号線１０３を介してＨＤＭＩ送信処理装置１１０に出力する。またＣＰＵ１２１は映像信号の切り換わりを検知し、映像信号の切り換え準備情報である制御信号を、信号線１０４を介してＨＤＭＩ送信処理装置１１０に出力する。タイマ１２０はＣＰＵ１２１によって制御されるタイマ機能を持つ装置である。
【００３２】
受信装置２００は、図１に示すように、送信装置１００から複数種類のストリームデータを受信するストリームデータ受信手段５と、ＡＶＩインフォフレーム情報受信手段６と、不一致区間情報受信手段７と、映像加工手段８とで構成されている。
【００３３】
ＡＶＩインフォフレーム情報受信手段６は、送信装置１００からストリームデータ受信手段５を介して受信するストリームデータの種類の切り換わりを示すＡＶＩインフォフレーム情報を受信する。
【００３４】
不一致区間情報受信手段７は、ストリームデータ受信手段５を介して受信するストリームデータの種類の切り換わりタイミングと、ＡＶＩインフォフレーム受信手段６を介して受信するＡＶＩインフォフレーム情報が示すストリームデータの種類の切り換わりタイミングの不一致を示し、前記不一致に応じたストリームデータの種類の切り換わりタイミング及びＡＶＩインフォフレーム情報が示すストリームデータの種類の切り換わりタイミングを含む不一致区間情報を送信装置１００から受信する。
【００３５】
映像加工手段８は、不一致区間情報受信手段７を介して受信した不一致区間情報に応じて、ストリームデータを再生することにより出力される映像信号に所定の処理を施して映像を出力する。
【００３６】
具体的には、受信装置２００は図３に示すように構成されている。
受信装置２００は、受信機２０１と映像出画装置２０２とで構成されている。
受信機２０１は、ストリームデータ受信手段としてのＨＤＭＩ受信処理装置２１０を有しており、ＨＤＭＩケーブル３００から入力されたビデオストリームデータをビデオ信号に変換し、このビデオ信号を信号線２０３に出力する。また、ＨＤＭＩ受信処理装置２１０は、ＨＤＭＩケーブル３００から入力されたＡＶＩインフォフレーム情報の制御信号を信号線２０４に出力する。
【００３７】
マイクロコンピュータを主要部とする映像出画装置２０２は、ＣＰＵ２２０と映像信号出画装置２２１で構成されており、予めプログラムされているソフトウエアをＣＰＵ２２０によって実行してＡＶＩインフォフレーム情報受信手段６と、不一致区間情報受信手段７とを実現している。
【００３８】
映像加工手段８としての映像信号出画装置２２１は、信号線２０３から入力されたビデオ信号を、ＣＰＵ２２０を介して受け入れて出画を行うが、信号線２０４から入力された制御情報に基づいてＣＰＵ２２０によってコントロールされて、不一致区間情報受信手段を介して受信した不一致区間情報に応じて、ストリームデータを再生することにより出力される映像信号をブルーバックなどの所定映像に置き換える。または不一致区間情報受信手段を介して受信した不一致区間情報に応じて、ストリームデータを再生することにより出力される映像信号を表示されないようにブランキングしたビデオミュート（VIDEO MUTE）を行った映像を出画する。
【００３９】
ＨＤＭＩデータはＨＤＭＩ規格で定義されており、映像信号はビデオストリームデータとしてビデオソース、映像信号の種類を識別する情報としてＡＶＩインフォフレーム情報で伝達される。図４は本発明の実施の形態におけるＡＶＩインフォフレーム情報の従来と本発明の比較である。従来のＡＶＩインフォフレーム情報では未使用となっている“RESERVED”を、この実施の形態では“VIDEO CHANGE PREP”とする。
【００４０】
図５は送信装置１００（ソース側）のＣＰＵ１２１によって実行されるソフトウエアによる映像信号切り換えの処理フローを示したものであり、ＣＰＵ１２１がステップＳ３を実行してＡＶＩインフォフレーム情報送信手段２が実現されている。ＣＰＵ１２１がステップＳ０を実行して不一致検出手段３が実現されている。ＣＰＵ１２１がステップＳ１とＳ５を実行して不一致区間情報送信手段４が実現されている。
【００４１】
図６は受信装置２００（シンク側）のＣＰＵ２２０によって実行されるソフトウエアによる映像信号切り換えの処理フローを示したものであり、ステップＳ１０では、ソース側より送られてくるＡＶＩインフォフレームの受信開始する。ＣＰＵ２２０がステップＳ２０を実行してソース側より送られてきたＡＶＩインフォフレームデータ解析処理してＡＶＩインフォフレーム情報受信手段６が実現されている。ＣＰＵ２２０がステップＳ３０，Ｓ４０，Ｓ５０のルーチンを実行して不一致区間情報受信手段７が実現されている。
【００４２】
送信装置１００（ソース側）のＣＰＵ１２１は、ステップＳ０においてシンク側にストリームデータとＡＶＩインフォフレーム情報が不一致であることを検出した場合には、送信機１０１を介して受信機２０１へ通知する。具体的には、ステップＳ１において、“VIDEO CHANGE PREP”をオンにして、送信機１０１を介してＡＶＩインフォフレーム情報を受信機２０１へ送信する。
【００４３】
受信装置２００（シンク側）のＣＰＵ２２０は、ステップＳ３０において、受信機２０１を介してＡＶＩインフォフレーム情報の“VIDEO CHANGE PREP”がオンであるか判断し、“VIDEO CHANGE PREP”がオンの場合には、ステップＳ５０で所定の映像信号またはビデオミュートを行った映像信号出画装置２２１に出力する。
【００４４】
送信装置１００（ソース側）のＣＰＵ１２１は、ステップＳ２において、ＡＶＩインフォフレーム情報を送信後、タイマ１２０を利用し１Ｖｓｙｎｃ以上の期間待ち時間を設け、その後に、ステップＳ３において従来と同様な処理で映像信号の切り換えを行う。さらに、この映像信号の切り換え後、ステップＳ４では、タイマ１２０を利用し３Ｖｓｙｎｃ期間の待ち時間を設け、その後ストリームデータとＡＶＩインフォフレーム情報が一致であることを、ステップＳ５において“VIDEO CHANGE PREP”をオフにして、送信機１０１を介してＡＶＩインフォフレーム情報を受信機２０１へ送信する。
【００４５】
受信装置２００（シンク側）のＣＰＵ２２０は、ステップＳ３０において、受信機２０１を介して受信したＡＶＩインフォフレーム情報の“VIDEO CHANGE PREP”がオフであるか判断し、“VIDEO CHANGE PREP”がオフの場合にはステップＳ４０で所定の映像信号出力またはビデオミュートを解除状態にする。
【００４６】
図７は、本システムの構成におけるソース側とシンク側の映像信号をＲＧＢからＹＣｂＣｒへ変更する場合のデータフローを示している。
タイミングＴ１はソース側とシンク側がビデオ形式をＲＧＢで送受信していることを示す。また“VIDEO CHANGE PREP”はオフとなっている。
【００４７】
タイミングＴ２はステップＳ１においてソース側がビデオ信号切り換えを検知し、ＡＶＩインフォフレーム情報で“VIDEO CHANGE PREP”オンを送信したことを示す。
タイミングＴ３はシンク側がＡＶＩインフォフレーム情報を受信し、所定の映像信号出力したことを示す。
【００４８】
タイミングＴ４はステップＳ３においてソース側のビデオ形式がＹＣｂＣｒになったことを示す。
タイミングＴ５はビデオ信号とＡＶＩインフォフレーム情報は非同期に送信されるため、まずソース側がビデオ信号を送信し、ＡＶＩインフォフレーム情報を送信していないことを示す。
【００４９】
タイミングＴ６はシンク側がソース側からＡＶＩインフォフレーム情報を送信され、ソース側とシンク側がビデオ形式をＹＣｂＣｒで送受信していることを示す。
タイミングＴ７はステップＳ５においてソース側がＡＶＩインフォフレーム情報で“VIDEO CHANGE PREP  オフ”を送信したことを示す。
【００５０】
タイミングＴ８はシンク側がＡＶＩインフォフレーム情報を受信し、所定の映像信号出力またはビデオミュートを解除状態にしたことを示す。
このように、ＨＤＭＩの映像切り換え時に所定の映像信号出力またはビデオミュートを行うことで、映像の乱れを防止することができる。
【産業上の利用可能性】
【００５１】
ＨＤＭＩの映像切り換え時に所定の映像を出力することで映像の乱れを防止できるので、ＨＤＭＩの映像信号切り換え機能を搭載した各種の映像機器に有用である。
【図面の簡単な説明】
【００５２】
【図１】本発明のＨＤＭＩ伝送方式送受信システムの構成図
【図２】同実施の形態のＨＤＭＩ伝送方式送信装置の構成図
【図３】同実施の形態のＨＤＭＩ伝送方式受信装置の構成図
【図４】同実施の形態におけるＡＶＩインフォフレーム情報の従来と本発明の比較図
【図５】同実施の形態におけるソース側のＣＰＵ１２１の映像信号切り換えの処理フローチャート
【図６】同実施の形態におけるシンク側のＣＰＵ２２０の映像信号切り換えの処理フローチャート
【図７】同実施の形態におけるソース側とシンク側の映像信号をＲＧＢからＹＣｂＣｒへ変更する場合のデータフロー図
【図８】一般的なＨＤＭＩ伝送方式送受信システムの構成図
【図９】ソース側とシンク側の映像信号をＲＧＢからＹＣｂＣｒへデータフロー変更する従来のデータフロー図
【符号の説明】
【００５３】
１    ストリームデータ送信手段
２    ＡＶＩインフォフレーム情報送信手段
３    不一致検出手段
４    不一致区間情報送信手段
５    ストリームデータ受信手段
６    ＡＶＩインフォフレーム情報受信手段
７    不一致区間情報受信手段
８    映像加工手段
１００  ＨＤＭＩ伝送方式送信装置（ソース側）
１０１  送信機
１０２  映像信号処理装置
１１０  ＨＤＭＩ送信処理装置（ストリームデータ送信手段）
１２０  タイマ
１２１  ＣＰＵ  
１２２  映像信号生成装置
２００  ＨＤＭＩ伝送方式受信装置（シンク側）
２０１  受信機
２０２  映像出画装置
２１０  ＨＤＭＩ受信装置
３００  ＨＤＭＩケーブル
【図１】
2007180624.tif 000003
【図２】
2007180624.tif 000004
【図３】
2007180624.tif 000005
【図４】
2007180624.tif 000006
【図５】
2007180624.tif 000007
【図６】
2007180624.tif 000008
【図７】
2007180624.tif 000009
【図８】
2007180624.tif 000010
【図９】
2007180624.tif 000011